(57)【要約】【目的】本発明は、緑色、青色光線を植物に与へ植物の体内栄養濃度をつかさどるタンパク質を増加させて、植物の株疲れを抑えることを、目的とする。【解決手段】本発明は、緑色、青色光線を夜間植物に与え植物体内にタンパク質を増量せしめ、天候不順が、続いても体内栄養濃度のバランスを保持し、植物の株疲れを、軽減させる方法。【選択図】図１１
2011055816.tif 000002
【特許請求の範囲】
【請求項１】
緑色蛍光灯の緑色光線上面部に青色蛍光灯の青色光線を加え植物に照射し、植物育成中の株疲れ防止の制御方法。
【請求項２】
青色蛍光灯の青色光線上面部に緑色蛍光灯の緑色光線を加え植物に照射し、植物育成中の株疲れ防止の制御方法。
【請求項３】
緑色蛍光灯の緑色光線と青色蛍光灯の青色光線を一平面状に並べ、植物に照射し、植物育成中の株疲れ防止の制御方法。
【請求項４】
緑色ＬＥＤの緑色光線上面部に青色ＬＥＤの青色光線を加え植物に照射し、植物育成中の株疲れ防止の制御方法。
【請求項５】
青色ＬＥＤの青色光線上面部に緑色ＬＥＤの緑色光線を加え植物に照射し、植物育成中の株疲れ防止の制御方法。
【請求項６】
緑色ＬＥＤの緑色光線と青色ＬＥＤの青色光線を一平面状に並べ、植物に照射し、植物育成中の株疲れ防止の制御方法。
【請求項７】
緑色蛍光灯の緑色光線を植物に照射し、植物育成中の株疲れ防止の制御方法。
【請求項８】
青色蛍光灯の青色光線を植物に照射し、植物育成中の株疲れ防止の制御方法。
【請求項９】
緑色ＬＥＤの緑色光線を植物に照射し、植物育成中の株疲れ防止の制御方法。
【請求項１０】
青色ＬＥＤの緑色光線を植物に照射し、植物育成中の株疲れ防止の制御方法。
【発明の詳細な説明】
【発明の詳細な説明】
【産業上の利用分野】
【０００１】本発明は、植物が夜間の呼吸作用の時間帯に青色、緑色光を与え植物の体内栄養濃度をつかさどるタンパク質をいちご植物の体内に増加させて植物育成中の株疲れ防止の制御方法に関する。
【背景技術】
【０００２】従来、植物の育成期間中に天候不順にて、次の花房が出遅れたり、いちごの花房の枝花の増加による、小粒のいちごが多く着果もたらすなどの原因にて株疲れすることにより、収穫量が減少をもたらした。この様な生育のアンバランスさを解決するために炭酸同化作用を高めるための操作や、肥培管理による窒素同化を高める為の操作技術に頼よっていた。
【発明が解決しようとする課題】
【０００３】上記の従来、植物の育成期間中に、天候不順が続くと、次から次へといちごの花房を出蕾させ、休み無く繰り返し収穫することが不可能になり、いちごの収穫量を減少する原因となり苦慮している。
【課題を解決するための手段】
【０００４】天候不順時期にも影響されずに緑色、青色の単独光線や、青色、緑色の複合させた光線を夜間に照射し、いちご植物体内の栄養濃度である、タンパク質濃度を増加させ、いちごの株疲れ防止を制御することを特徴とする。
【作用】
【０００５】収穫期や、育苗中の植物の同化作用、呼吸作用に悪影響をもたらすことなく、タンパク質を増加させ株疲れ防止制御出来る。
【発明の効果】
【０００６】本発明によれば、緑色、青色の単独光線、青と緑色複合色光線利用処理することにより、無理なく且つ、自然な方法で天候に左右されることなく、タンパク質を増加させることにより、生産者にとって、収穫量の増大をもたらし、天候に左右されずに、株疲れを防止し、多大の利益となる。
【０００７】緑色、青色の単独光線、青と緑色複合色光線利用処理することにより植物の体内にタンパク質を増量させ、うどんこ病等の病害の軽減を測る等、耐病性の効果を持たせることが出来る。
【０００８】緑色、青色の単独光線、青と緑色複合色光線利用処理することにより植物の体内にタンパク質を増量させた植物を育成し、食料用植物の生産が出来る。
【０００９】緑色、青色の単独光線、青と緑色複合色光線利用処理することにより、とまと、きゅうり、ピーマン、すいか、メロン等の果菜類や小松菜、チンゲン菜等の葉菜類植物の体内にタンパク質を増量させ生産の増収を促すことが出来る。
【発明を実施するための形態】
【０００１０】  本発明の実施形態を、タンパク質の定量法としては、精度の高い方法として燃焼後に窒素量を測定するデルマ法と、硫酸分解後にアンモニア量を測定するケルダール法等があります。当発明の基準になった測定法は、後者の方法でいちごの葉柄、葉体をＨＡＣＨ社製ダイジェスタール２３１３０−２０型で強酸の硫酸にて４４０度Ｃにて煮沸させながら強酸化剤過酸化水素水を点滴し、２段階分解後にサンプルを取り出し、ＨＡＣＨ社製分光光度計３０００Ｒにてアンモニア量を測定するゲルタール法に基づくものであり，精度の高いタンパク質の定量法にて測定を行なっています。
いちご植物の育成中の葉柄、葉体内のケルダール窒素の量すなわち、タンパク質の量が、無照射、緑色のみの光線の照射、青色のみの光線の照射、緑色の光線と青色の光線の組み合わせによる光線の照射等の組み合わせの違いによるいちご植物の体内にタンパク質の蓄積した量の違いによる効果が、いちご植物の出蕾時期の違いとしての比較を検証した。
下記別表１は、緑色蛍光灯の緑色光線のみの光線をいちご植物のサンプル苗５０本に照射をした。
青色蛍光灯の青色光線のみ光線をいちご植物のサンプル苗５０本に照射をした。
緑色蛍光灯の緑色光線の上面に青色蛍光灯設置し、青色光線と緑色光線とを、同時に光線をいちご植物のサンプル苗５０本に照射をした。
青色蛍光灯の青色光線の上面に緑色蛍光灯を設置し、緑色光線と青色光線とを、同時に光線をいちご植物のサンプル苗５０本に照射をした。
蛍光灯無しは、光線照射なしにて、いちご植物サンプル苗５０本を用意した。
いちご植物５０本当たりの、緑色光線、青色光線の組み合わせ別による、いちご植物に照射の違いよる、ケルダール窒素量と、収穫量違いの比較を別表１にて表示した。
尚、ケルダール窒素量は、各サンプル５０本の平均値を別表１にて表示した。
別表２には、緑色ＬＥＤの緑色光線のみの光線を、いちご植物のサンプル苗５０本に照射をした。
青色ＬＥＤの青色光線のみ光線をいちご植物のサンプル苗５０本に照射をした。
緑色ＬＥＤの緑色光線の上面に青色ＬＥＤ設置し、青色光線と緑色光線とを、同時に光線をいちご植物のサンプル苗５０本に照射をした。
青色ＬＥＤの青色光線の上面に緑色ＬＥＤを設置し、緑色光線と青色光線とを、同時に光線をいちご植物のサンプル苗５０本に照射をした。
ＬＥＤ無しは、光線照射なしにて、いちご植物サンプル苗５０本を用意した。
いちご植物５０本当たりの、緑色光線、青色光線の組み合わせ別による、いちご植物に照射の違いよる、ケルダール窒素量と、いちごの収穫量の比較を別表１にて表示した。
尚、ケルダール窒素量は、各サンプル５０本の平均値を別表１にて表示した。いちご植物に照射の違いよる、いちごの収穫量の、５０本当たりの比較を表示した。
表３は、いちご生産農家のいちご栽培のパイプハウス内にて、いちご収穫開始が１１月上旬より収穫を行なっているハウス内にて１１月下旬から２月下旬までの収穫量を比較を表示したの実施に基づき、緑色、青色蛍光灯をハウス内にて、いちごの生産株より１．５ｍの高さに設置し、日没から日の出前までの３０日間による照射の効果が、ケルダール窒素の量すなわちタンパク質の多い、少ないが本圃の収穫株の当該いちご植物の収穫株において１０月に頂花房の出蕾、１２月に腋花房の出蕾、１月に２番花の花房の出蕾がバランス良く各花房が連続して、各花房が、開花し、結実し、株疲れ無くいちごの収穫量の増収をもたらした事を実証した。
【０００１１】図面及び実施例、表１、表２、表３に基づき説明する。
図５は、ビニールハウス内にて、育成中の植物いちごの株１３に、１ｍ高さの位置に日没後から日の出までの夜間に緑色の蛍光灯２０Ｗ、２を照射し、連続３０日照射した後に、ケルダール窒素量を測定１４７ｐｐｍを表示した。
図４は、ビニールハウス内にて、育成中の植物いちごの苗１３に１ｍ高さの位置に日没後から日の出までの夜間に青色蛍光灯２０Ｗ、１を照射し、連続３０日照射した後に、ケルダール窒素量を測定１３５ｐｐｍを表示した。
図１は、ビニールハウス内にて、育成中の植物いちごの株１３に、１ｍ高さの位置に日没後から日の出までの夜間に緑色の蛍光灯２０Ｗ、２の緑色光線を照射させ、当該緑色蛍光灯の上面部より０．５ｍの高さより青色蛍光灯２０Ｗ、１を設置し、上部の青色光線と下部の緑色光線を同時に３０日間連続植物いちご株１３を、照射した後ケルダール窒素量を測定１５９ｐｐｍを表示した。
図２は、ビニールハウス内にて、育成中の植物いちごの株１３に１ｍ高さの位置に日没後から日の出までの夜間に青色蛍光灯２０Ｗ、１の青色光を照射させ、当該青色蛍光灯の上面部より０．５ｍの高さより緑色蛍光灯２０Ｗ、２を設置し、上部の緑色光線と下部の青色光線を同時に３０日間連続植物いちご株１３を、照射した後ケルダール窒素量を測定１４０ｐｐｍを表示した。
図３は、ビニールハウス内にて、育成中の植物いちごの株１３に１ｍ高さの位置に日没後から日の出までの夜間に緑色蛍光灯２０Ｗ、２と青色蛍光灯２０Ｗ、１とを一平面状に並べ緑色光線と青色光線を連続３０日照射した後ケルダール窒素量を測定１７５ｐｐｍを表示した。
植物いちごの株１３の、育成中のビニールハウス内にて、蛍光灯による光線を照射せずに、３０日後ケルダール窒素量を測定８１ｐｐｍを表示した。
以上、蛍光灯光線照射無しの条件にて測定したケルダール窒素８１ｐｐｍと比較すると、緑色のみの光線照射によるケルダール窒素量１４７ｐｐｍ、次に緑色の光線の上面部から青色光線を与え同時照射したケルダール窒素量１５９ｐｐｍ、緑色光線と青色光線を平面状に与え複合させて照射したケルダール窒素量１７５ｐｐｍ、いちご植物いちご株１３に１ｍ高さより、緑色蛍光灯の緑色光線の照射と同時に緑色蛍光灯の上面又は、同一平面状に青色蛍光灯の青色光線を同時に、照射すると、緑色光線効果に、青色光線を含ませる事により、多くケルダール窒素量、すなわちタンパク質が増える事がわかる。
【０００１２】  図１０は、ビニールハウス内にて、育成中の植物いちごの株１５に、０．１ｍ高さの位置に日没後から日の出までの夜間に緑色のＬＥＤ４にて緑色光線を照射し、連続して３０日後ケルダール窒素量を測定１０８ｐｐｍを表示した。
図９は、ビニールハウス内にて、育成中の植物いちごの株１５に、０．１ｍ高さの位置に日没後から日の出までの夜間青色ＬＥＤ３の青色光線を照射し、連続して３０日後ケルダール窒素量を測定９８ｐｐｍを表示した。
図６は、ビニールハウス内にて、育成中の植物いちごの株１５に０．１ｍ高さの位置に日没後から日の出までの夜間緑色ＬＥＤ４の緑色光線を照射し、上面部より０．１ｍの高さから、青色ＬＥＤ３にて青色光を照射し、連続して３０日後ケルダール窒素量を測定１１２ｐｐｍを表示した。
図７は、ビニールハウス内にて、育成中の植物いちごの株１５に０．１ｍ高さの位置に日没後から日の出までの夜間に、青色ＬＥＤ１の青色光を照射し、当該青色光線の青色ＬＥＤの上面部より  ０，１ｍ高さより、緑色ＬＥＤ４にて緑色光を照射し、連続して３０日後にケルダール窒素量を測定１０９ｐｐｍを表示した。
図８は、ビニールハウス内にて、育成中の植物いちごの株１５に０．１ｍ高さの位置に日没後から日の出までの夜間に、緑色ＬＥＤと青色ＬＥＤとを、一平面状に並べ緑色光線と青色光線との光線を複合させて照射し、連続して３０日後ケルダール窒素量を測定１２５ｐｐｍを表示した。
ビニールハウス内にて、ＬＥＤによる育成中の植物いちごの株１５に青色、緑色ＬＥＤによる光線を照射せずに、３０日後ケルダール窒素量を測定８１ｐｐｍを表示した。
以上、日没後から日の出までの夜間に、緑色、青色ＬＥＤの光線照射無しの条件にて３０日後ケルダール窒素量を測定８１ｐｐｍを表示した、ケルダール窒素量との比較をすると、緑色ＬＥＤ４の緑色光線照射による３０日後ケルダール窒素量１０８ｐｐｍ、次に緑色ＬＥＤ４の緑色光線の上面部から青色ＬＥＤ３の青色光線を同時に照射した３０日後ケルダール窒素量１１２ｐｐｍ、緑色ＬＥＤ光線と青色ＬＥＤ光線を一平面状に設置し、緑色光線と青色光線を同時に照射した３０日後ケルダール窒素量１２５ｐｐｍを表示した。
緑色光線効果が植物いちご株にとってビニールハウス内にて、育成中の植物いちごの株５に０．１ｍ高さの位置に日没後から日の出までの夜間に緑色光線の照射による、ケルダール窒素量の増加した。
緑色ＬＥＤ効果に青色ＬＥＤ光線を含ませると、より多くケルダール窒素量が増してくる。
しかしながら、前記「０００８」項に記載の蛍光灯の光量と、「０００９」項記載のＬＥＤの光量との光量差がケルダール窒素量に大きな比較差が見受けられた。以上、ケルダール窒素量の差すなわち、いちご植物の体内のタンパク質量が、いちごの１番花、１番花の腋、２番花、２番花の腋にと次から次へと株疲れなく出蕾しいちご生産にて株疲れを防止しながらの、いちご生産の制御を実証した。
下記の「実施例」にて説明する。
【実施例】
【０００１３】いちごのハウスにて、実施例に基づき説明する。
間口５．４ｍ長さ４０ｍのパイプハウスにて、図１１は、パイプハウスの立面図である。
ハウス内に定植したいちご植物苗１６の上面より１．５ｍの高さに緑色の２０Ｗの蛍光灯７をパイプハウスに対し平行に２列設置し、又２列設置した中央に青色の２０Ｗの蛍光灯８をハウスの長手方向に、１列設置した。両側２列に設置した蛍光灯７の緑色の光線と、中央１列に設置した蛍光灯８の青色の光線が、出来るだけ均一にいちご植物苗に緑色光線と青色光線との複合した緑と青の光線としていちご株１６を照射させる為に、平面図１２にて表示のごとく、両側２列に設置した緑色２０Ｗ蛍光灯１の間隔を６ｍに設置し、中央１列に設置した青色２０Ｗ蛍光灯８の間隔を１２ｍ間隔に設置し、いちご定植株１６の上面より１．５ｍの高さに、青色、緑色の全ての蛍光灯を設置した。本圃パイプハウス立面図、図１１、本圃パイプハウス平面図、図１２表示の本圃ハウス内には、本圃に定植苗を１７００本定植した。【０００１４】又前記当該本圃定植パイプハウス間口５．４ｍ長さ４０ｍのハウスより２Ｍ離れた隣の同等の面積を保持したパイプハウス間口５．４ｍ長さ４０ｍハウスには、蛍光灯は、設置せずに、本圃に定植する株を１７００本定植した。青色、緑色の蛍光灯を設置した、本圃のいちごハウスにては、頂花房の開花が１０月２５日頃に開花し収穫が、１１月１５日より開始、続いて腋の開花が１２月５日頃腋の収穫が１２月２５日頃、続いて２番花の出蕾が早い株にて１２月３０日頃より始まった。青色、緑色の蛍光灯を設置無しの本圃のいちごハウスにては、頂花房の開花が１０月２５日頃に開花し収穫が、１１月１５日より同じく開始、続いて腋の開花が１２月５日頃腋の収穫が１２月２５日頃、までは続いた、しかし遅れた２番花の出蕾が早い株にても、１月３０日頃より２月１０日に始まった。【０００１５】上記「０００１５」にて説明したように青色、緑色の蛍光灯を設置したハウスの定植株と青色、緑色の蛍光灯を設置無しの本圃のいちごハウスの定植株とのケルダール窒素量の差すなわち、表１、表２、表３にて表示のごとく、いちご植物の体内のタンパク質量が、いちごの１番花、１番花の腋、２番花、２番花の腋にと次から次へと株疲れなく出蕾しいちご生産にて、１２月後半から２月の低温、天候の不順、頂花房、腋花房の着果負担によるいちごの生産株の疲れを防止しながらの、連続いちご生産のための青色、緑色光線による株疲れ防止の制御を実証した。【０００１６】表３にて表示のごとく、いちご植物苗平均ケルダール窒素はサンプル１は、１２８ＰＰＭ、２番花の出蕾１月１５日。  サンプル２において、１３５ＰＰＭ、２番花の出蕾１月８日。  サンプル３においては、１４０ＰＰＭ、２番花の２番花の出蕾１２月３０日を表示している。
サンプル４において、８０ＰＰＭ，２番花の２番花の出蕾２月１５日。  サンプル５において、７８ＰＰＭ，２番花の２番花の出蕾２月２０日。  サンプル６において、６０ＰＰＭ，２番花の２番花の出蕾２月２０日。表３表示のごとく、蛍光灯の緑色と青色との光線による効果が蛍光灯の緑色と青色との光線無しに比べると２番花の出蕾の時期、１２月後半から２月の低温期、天候の不順、頂花房、腋花房の着果負担によるいちごの生産株の疲れを防止しながら安定したいちご生産を保持することが出来る。【０００１７】以上、「０００１３」「０００１４」「０００１５」「０００１６」にて実施例にて説明した様に、緑色光線、青色光線を日没から日の出前の夜間に照射することにより、いちご植物の体内にケルダール窒素が増加する、すなわち、タンパク質が、いちご植物の体内に高濃度に蓄積されることによる、タンパク質効果による、いちごの体内に増量した蛋白質効果により特に冬場１２月後半から１月、２月の低温と天候不順の時期にいちごの株疲れ無く花房の出蕾をさせることが無理せず出来る事が実証できた。
【表１】
2011055816.tif 000003
【表２】
2011055816.tif 000004
【表３】
2011055816.tif 000005
【図面の簡単な説明】
【図１】は、緑色蛍光灯２の上面に青色蛍光灯１を設置しいちご株１３に緑色と青色光線とを照射する模式図。
【図２】は、緑色蛍光灯２の上面に青色蛍光灯１を設置しいちご株１３に緑色と青色光線とを照射する模式図。
【図３】は、青色蛍光灯１緑色蛍光灯２を一平面上に並べ設置し、いちご株１３に緑色と青色光線とを照射する模式図。
【図４】は、青色蛍光灯１をいちご株１３の上面に設置し、青色光線を照射する模式図。
【図５】は、緑色蛍光灯２をいちご株１３上面に設置し、緑色光線を照射する模式図。
【図６】は、緑色ＬＥＤ４の上面に青色ＬＥＤ３を設置しいちご株１５に緑色と青色光線とを照射する模式図。
【図７】は、青色ＬＥＤ３の上面に緑色ＬＥＤ４を設置しいちご株１５に緑色と青色光線とを照射する模式図。
【図８】は、青色ＬＥＤ３と緑色ＬＥＤ４を一平面上に並べ設置し、いちご株１５に緑色と青色光線とを照射する模式図。
【図９】は、青色ＬＥＤ３をいちご株１５の上面に設置し、青色光線を照射する模式図。
【図１０】は、緑色ＬＥＤ４をいちご株１５上面に設置し、緑色光線を照射する模式図。
【図１１】は、パイプハウスの内部両脇に平行に設置した緑色蛍光灯７と中央部に設置した青色の蛍光灯８の配置の立面図。
【図１２】は、パイプハウスの内部両脇に平行に設置した緑色蛍光灯７と中央部に設置した青色の蛍光灯８の配置の平面図。
【符号の説明】１・・・青色蛍光灯、２・・・緑色蛍光灯、３・・・青色ＬＥＤ
４・・・緑色ＬＥＤ，１３・・・いちご植物苗、１５・・・いちご植物苗、
１６・・・いちご定植苗、７・・・緑色蛍光灯  ８・・・青色蛍光灯、
９・・・パイプハウス、
【図１】
2011055816.tif 000006
【図２】
2011055816.tif 000007
【図３】
2011055816.tif 000008
【図４】
2011055816.tif 000009
【図５】
2011055816.tif 000010
【図６】
2011055816.tif 000011
【図７】
2011055816.tif 000012
【図８】
2011055816.tif 000013
【図９】
2011055816.tif 000014
【図１０】
2011055816.tif 000015
【図１１】
2011055816.tif 000016
【図１２】
2011055816.tif 000017